(57)【要約】【課題】ジッタ等が存在しても被測定対象の信号の解析値（例えば、バス値）の観測性を向上した波形測定装置を実現することにある。【解決手段】トリガ信号に基づいて取得した被測定信号の波形や、被測定信号の解析値を表示部の表示画面に表示する波形測定装置に改良を加えたものである。本装置は、解析値を表示するための領域を表示画面の時間軸上に沿った方向に複数個求める領域算出手段と、解析値を求める基準となる位置を表示画面に表示する変化点表示手段と、この変化点表示手段の位置に基づいて領域算出手段の求めた領域に解析値を表示する解析値表示手段とを設けたことを特徴とするものである。【選択図】図１
2008185431.tif 000002
【特許請求の範囲】
【請求項１】
トリガ信号に基づいて取得した被測定信号の波形や、前記被測定信号の解析値を表示部の表示画面に表示する波形測定装置において、
前記解析値を表示するための領域を前記表示画面の時間軸上に沿った方向に複数個求める領域算出手段と、
前記解析値を求める基準となる位置を前記表示画面に表示する変化点表示手段と、
この変化点表示手段の位置に基づいて前記領域算出手段の求めた領域に前記解析値を表示する解析値表示手段と
を設けたことを特徴とする波形測定装置。
【請求項２】
前記トリガ信号と前記被測定信号とには相対的なジッタが存在することを特徴とする請求項１記載の波形測定装置。
【請求項３】
変化点表示手段は、前記被測定信号の波形の表示に合わせて前記基準となる位置の表示を時間軸方向に移動し、
領域算出手段は、前記基準となる位置の移動に関わらず領域の位置を固定していることを特徴とする請求項１または２記載の波形測定装置。
【請求項４】
解析値表示手段は、前記基準となる位置から時間軸上の所定の距離はなれた前記領域を基準にして前記解析値を表示することを特徴とする請求項１〜３のいずれかに記載の波形測定装置。
【請求項５】
解析値表示手段は、前記基準となる位置間の時間軸上における中点を求め、この中点に対応する前記領域を基準にして前記解析値を表示することを特徴とする請求項１〜３のいずれかに記載の波形測定装置。
【請求項６】
前回の解析値を表示した領域を記憶する表示領域記憶手段を有し、
解析値表示手段は、今回の解析値を表示する領域と、前記表示領域記憶手段に記憶された領域とを比較することを特徴とする請求項１〜５のいずれかに波形測定装置。
【請求項７】
変化点表示手段は、前記被測定信号である複数のロジック信号の論理レベルの変化を示す変化点を前記基準となる位置として表示することを特徴とする請求項１〜６のいずれかに波形測定装置。
【請求項８】
解析値表示手段は、前記複数のロジック信号のバス値を表示することを特徴とする請求項７記載の波形測定装置。
【発明の詳細な説明】
【技術分野】
【０００１】
本発明は、トリガ信号に基づいて取得した被測定信号の波形や、取得した被測定信号の解析値（例えば、バス値）を表示部の表示画面に表示する波形測定装置に関し、詳しくは、ジッタ等が存在しても被測定信号の解析値の観測性を向上した波形測定装置に関するものである。
【背景技術】
【０００２】
波形測定装置は、例えば、デジタルオシロスコープ等であり、近年、アナログ／ロジック混在回路の多信号を１台の測定器で観測するため、アナログ入力端子だけでなく、ロジック入力端子も備えたものが製品化されている。
【０００３】
このような装置では、アナログ信号をＡＤ変換してメモリに格納し、２値（”０”（Ｌレベル）または”１”（Ｈレベル））のロジック信号をサンプラでサンプリングしてメモリに格納する。そして、メモリからデータを読み出して表示部の表示画面にロジック信号やアナログ信号を波形表示させる。
【０００４】
また、被測定対象（例えば、電子回路）のバス（複数本からなるパラレルバス）上を流れるロジック信号を同時に測定することができるようにサンプラが複数個設けられる。もちろん、ＡＤ変換器も複数個受けられる。
【０００５】
そして、パラレルバス上を流れるロジック信号を測定する場合、１本分のバスのロジック信号のロジック値だけでなく、複数本分のバスのロジック信号のロジック値をまとめて解析する必要がある。
【０００６】
このような複数個のロジック信号の解析結果を表示することは、バス表示、バンドル（bundle）表示等と呼ばれる。そして、バス表示には、バス値と変化点との表示が含まれる。ここで、バス値とは、同期を図って測定した同時刻における複数本のロジック信号のロジック値を１６進数、８進数、２進数等で表示したものであり、変化点とは、バンドルされた（組み合わされた）複数のロジック信号のうちのいずれか１個でもレベルが変化した位置（時刻）を示すものである。
【０００７】
図５は、従来の波形測定装置におけるバス表示の表示例を示した図である。図５において、一例として、１個のアナログ信号、４個のロジック信号を波形表示し、一番上の波形がアナログ信号の波形表示であり、その他がロジック信号の波形表示である。そしてロジック信号の波形それぞれの変化点およびバス値（一番下のロジック信号を最上位ビットとし、１６進数で表示）を求めて表示している。なお、変化点として、図５では、バス値と同じ行に×印（縦棒の場合もある）で示している。また、バス値は、同じ値となる範囲を枠で囲まれる。
【０００８】
表示画面上におけるバス値の表示位置は、変化点を基準とし、変化点から所定の距離だけはなれた位置に表示する場合と、変化点と次の変換点との中心位置に表示する場合がある。
【０００９】
ここで、図６は、バス表示の一例を示した図であり、アナログ信号の波形・ロジック信号の波形の図示は省略し、バス表示のみを図示している。図６（ａ）は、バス値の表示を変化点から一定距離Δｔはなれた固定位置とした場合であり、図６（ｂ）は、変化点間の中心位置に図示している例である。
【００１０】
なお、図６において、バス値は、１６個のロジック信号を組み合わせて１６進数表示している。そして、バス値は、図５、図６に示すように、組み合わせるロジック信号の個数によって１文字の場合もあれば、複数文字の場合も有る。また、バス値は、数字・文字の双方が有り、以下説明上バス値を、文字列と記載する場合もある。
【００１１】
【特許文献１】特開平７−１８１２０４号公報
【発明の開示】
【発明が解決しようとする課題】
【００１２】
このように複数個のロジック信号をまとめて解析してバス表示するので、ユーザは、表示部に表示される波形を紙等に印刷して個々のロジック信号の波形からレベルを確認し、バス値や変化点を求める必要が無く、波形測定・波形解析等を効率よく行なうことができる。
【００１３】
波形測定装置では、波形の測定等を効率よく行なうため、所定の条件となる波形（アナログ信号や被測定対象のクロック信号等）を検出するとトリガ信号を出力し、このトリガ信号を基準としてアナログ信号、デジタル信号を取り込み、波形表示やバス表示を行なっている。そして、トリガ信号１回だけで測定が終了するのでなく、複数回のトリガ信号それぞれで測定し、繰り返し表示を行なう。
【００１４】
実際の測定では、（１）波形取得の基準となるトリガ信号にジッタが存在したり、（２）バス表示対象のロジック信号の少なくとも１個にジッタが存在したり、（３）トリガ信号およびロジック信号に異なる量のジッタが存在すること等により、トリガ信号とバス表示対象のロジック信号との間に相対的なジッタが存在する場合がある。もちろん、ジッタには、トリガ信号、ロジック信号そのものに存在する場合だけでなく、波形測定装置のサンプラ等によって生ずるジッタも含まれる場合がある。
【００１５】
そして、トリガ信号を時間的な基準としてロジック信号を取り込むので、相対的なジッタが存在する場合、トリガ信号それぞれで取得した信号ごとにジッタ量が異なる。そのため、変化点やバス値が、取得した信号それぞれで時間軸上において微妙にずれて表示される。一方、ユーザの立場からは、このずれから逆にジッタの存在を認識することができる。
【００１６】
なお、波形表示やバス表示は、表示画面の画面更新レートにあわせて、画面更新期間内に新たに取得・解析した波形やバス表示を行なう場合もあれば、複数画面分を重ねて表示する場合もある。
【００１７】
重ねて表示する場合、当然にユーザは変化点やバス値の微妙なずれを認識できるが、画面更新レート（例えば、６０「Ｈｚ」）にあわせて表示する場合でも、人間の視覚の特性上、残像によって重なって見え、微妙なずれを認識できる。
【００１８】
しかしながら、バス値は文字情報のため、異なるトリガ信号で取得されたバス値それぞれが同じであっても、ジッタによってバス値同士やバス値と変化点とがずれて重なることにより、バス値の数字・文字そのものを読み取ることができなくなり、バス値を認識できなくなるという問題があった。
【００１９】
ここで、図７は、バス値の表示位置を変化点から固定位置とし、ジッタが存在する場合の表示例である。図７に示すように、変化点およびバス値の微妙なずれによってジッタの存在を確認することができるが、バス値を認識することが困難になっている。
【００２０】
そこで本発明の目的は、ジッタ等が存在しても被測定対象の信号の解析値（例えば、バス値）の観測性を向上した波形測定装置を実現することにある。
【課題を解決するための手段】
【００２１】
請求項１記載の発明は、
トリガ信号に基づいて取得した被測定信号の波形や、前記被測定信号の解析値を表示部の表示画面に表示する波形測定装置において、
前記解析値を表示するための領域を前記表示画面の時間軸上に沿った方向に複数個求める領域算出手段と、
前記解析値を求める基準となる位置を前記表示画面に表示する変化点表示手段と、
この変化点表示手段の位置に基づいて前記領域算出手段の求めた領域に前記解析値を表示する解析値表示手段と
を設けたことを特徴とするものである。
請求項２記載の発明は、請求項１記載の発明において、
前記トリガ信号と前記被測定信号とには相対的なジッタが存在することを特徴とするものである。
請求項３記載の発明は、請求項１または２記載の発明において、
変化点表示手段は、前記被測定信号の波形の表示に合わせて前記基準となる位置の表示を時間軸方向に移動し、
領域算出手段は、前記基準となる位置の移動に関わらず領域の位置を固定していることを特徴とするものである。
請求項４記載の発明は、請求項１〜３のいずれかに記載の発明において、
解析値表示手段は、前記基準となる位置から時間軸上の所定の距離はなれた前記領域を基準にして前記解析値を表示することを特徴とするものである。
請求項５記載の発明は、請求項１〜３のいずれかに記載の発明において、
解析値表示手段は、前記基準となる位置間の時間軸上における中点を求め、この中点に対応する前記領域を基準にして前記解析値を表示することを特徴とするものである。
請求項６記載の発明は、請求項１〜５のいずれかに記載の発明において、
前回の解析値を表示した領域を記憶する表示領域記憶手段を有し、
解析値表示手段は、今回の解析値を表示する領域と、前記表示領域記憶手段に記憶された領域とを比較することを特徴とするものである。
請求項７記載の発明は、請求項１〜６のいずれかに記載の発明において、
変化点表示手段は、前記被測定信号である複数のロジック信号の論理レベルの変化を示す変化点を前記基準となる位置として表示することを特徴とするものである。
請求項８記載の発明は、請求項７記載の発明において、
解析値表示手段は、前記複数のロジック信号のバス値を表示することを特徴とするものである。
【発明の効果】
【００２２】
領域算出手段が、解析値を表示するための領域を複数個求め、解析値表示手段が、変化点表示手段の基準となる位置に基づいて、解析値を解析値用の領域にあてはめて表示させる。これにより、トリガ信号とロジック信号との間に時間的なずれが生じたとしても、解析値の表示位置のずれを抑えることができ、被測定信号の解析値の観測性が向上する。
【発明を実施するための最良の形態】
【００２３】
以下図面を用いて本発明の実施の形態を説明する。
図１は、本発明の一実施例を示した構成図である。
図１において、アナログ信号用の入力端子Ａｉｎが複数個（図１では一例として４チャネル）設けられ、２値化されたロジック信号用の入力端子Ｄｉｎが複数個（例えば、３２ビット）設けられる。なお、入力端子Ａｉｎ，Ｄｉｎには、被測定対象から信号を取得するプローブ（図示せず）が接続される。また、ロジック入力端子Ｄｉｎに接続されるプローブ内にはコンパレータが設けられ、被測定対象からの信号を２値化してロジック入力端子Ｄｉｎに出力する。また、説明上、アナログ信号を測定する個数の単位として”チャネル”、ロジック信号を測定する個数の単位として”ビット”を用いて説明する。
【００２４】
ＡＤ変換器１は、入力端子Ａｉｎごとに設けられ、入力端子Ａｉｎからのアナログ信号をアナログ・デジタル変換し、変換したデジタルデータを出力する。
【００２５】
サンプラ２は、入力端子Ｄｉｎごとに設けられ、入力端子Ｄｉｎからのロジック信号をサンプリングして２値化データを出力する。
【００２６】
トリガ回路３は、所望の入力端子Ａｉｎからのアナログ信号が入力され、所定の条件となる波形を検出するとトリガ信号を出力する。
【００２７】
なお、ＡＤ変換器１、サンプラ２は、同じクロック信号（必要に応じてクロック信号を周波数変換した信号）が供給され、各チャネル間、各ビット間だけでなく、アナログ信号とロジック信号間の時間的な関係が確保される。また、アナログ信号、ロジック信号共に被測定信号である。
【００２８】
データ処理部４は、トリガ回路３からのトリガ信号に従って、ＡＤ変換器１からのデジタルデータ、サンプラ２からの２値化データを波形データとしてアクイジョンメモリ５に格納する。ここで、波形データとは、トリガ信号を基準とし、この基準となるトリガ信号前後の所望時間分のデータから構成されるものである。図１に示す装置では、トリガ信号ごとに最大で４チャネル分のアナログ信号の波形データ、３２ビット分のロジック信号の波形データが取得される。このように１回のトリガ信号によって各チャネル、各ビットの波形データを取得する動作を１アクイジョンと呼ぶ。
【００２９】
アクイジョンメモリ５は、記憶部であり、トリガ信号ごとに取得された各チャネル、各ビットそれぞれの波形データを記憶する。また、アクイジョンメモリ５は、複数アクイジョン分の波形データを記憶し、何回目のトリガ信号で取得された波形データであるかを関連付けて記憶される。
【００３０】
バス処理部６は、変化点検出手段６１、バス値演算手段６２を有し、メモリ５から所望数のアクイジョン分の波形データ（ロジック信号の波形データ）を読み出し、３２ビットの波形データのなかから所望のビット同士を組み合わせてバス表示対象のロジック信号の波形からレベルの変化点、バス値を求め、求めた変化点およびバス値を出力する。
【００３１】
変化点検出手段６１は、組み合わせたロジック信号それぞれの１アクイジョン分の波形データのなかからレベルが変化した変化点（バス値を求める基準となる位置）のデータ（時刻）を検出する。
【００３２】
バス値演算手段６２は、組み合わせたロジック信号のバス値（被測定信号の解析値）を変化点検出手段６１の変化点に基づいて求める。
【００３３】
表示処理部７は、波形表示手段７１、変化点表示手段７２、バス値表示手段７３、領域算出手段７４を有し、アクイジョンメモリ５から各チャネルの波形データ、各ビットの波形データを読み出し、バス処理部６から変化点、バス値が入力される。また、表示処理部７は、表示メモリ８と相互に接続され、波形データ、バス値、変化点から画像データを作成して表示メモリ８に書き込み、表示部９の表示画面の所定の更新レートに従ってメモリ８の画像データを読み出し、表示部９の表示画面に表示する。
【００３４】
波形表示手段７１は、波形データから波形の画像データを生成する。変化点表示手段７２は、変化点検出手段６１の変化点から、変化点を示す記号やバス値を囲む枠等の表示画面上の表示位置を算出し、画像データを生成する。
【００３５】
バス値表示手段７３は、解析値表示手段であり、バス値演算手段６２の演算結果、変化点表示手段７２の変化点の表示位置、領域算出手段７４の領域から、バス値を表示する表示位置を算出し、画像データを生成する。領域算出手段７４は、表示部９の表示画面上でバス値を表示するための領域を算出する。
【００３６】
表示メモリ８は、画像データを格納する。表示部９は、表示画面を有し、表示メモリ８の画像データを表示する。
【００３７】
このような装置の動作を説明する。ここで、図２は、図１に示す装置の表示部の表示画面例を示した図である。図６、図７と同様に、アナログ信号・ロジック信号の波形表示は省略し、バス表示のみ図示している。図２（ａ）は、ｎ回目のアクイジョンで取得した波形データから求めたバス表示であり、図２（ｂ）は、（ｎ＋１）回目のアクイジョンで取得した波形データから求めたバス表示であり、図２（ｃ）は、（ａ）、（ｂ）両方のバス表示である。
【００３８】
測定を開始する前にあらかじめ領域算出手段７４が、バス値を表示するための領域の位置（表示部９の表示画面上の表示位置）を算出し、バス値表示手段７３に出力する。このバス値表示用の領域とは、バス値の数字・文字等のキャラクタ１文字を表示画面上に表示するためのエリアであり、表示画面の表示分解能等から求め、表示画面の時間軸上に沿った方向に複数個並べられる。この領域の大きさは、キャラクタサイズごとに設定しておいてもよく、領域算出手段７４が演算して算出してもよい。図２（ａ）、（ｂ）においては、点線の４角形で図示している。なお、領域を示す枠、変化点からの距離Δｔを示す点線の線・矢印等は、説明上図示しているだけであり、実際の表示画面上には表示されない。
【００３９】
測定が開始されると、ＡＤ変換器１が、入力端子Ａｉｎに入力されたアナログ信号をデジタルデータに変換してデータ処理部４に出力すると共に、サンプラ２が、入力端子Ｄｉｎに入力されたロジック信号を２値化データにしてデータ処理部４に出力する。一方、トリガ回路３が、所定のトリガ条件となる波形を検出するとトリガ信号をデータ処理部４に出力する。
【００４０】
そして、データ処理部４が、トリガ信号を基準とし、この基準となるトリガ信号前後の所望時間分の各チャネルのデジタルデータおよび各ビットの２値化データそれぞれを波形データとしてメモリ５に格納する。すなわち、１アクイジョンによって最大でアナログ信号の４チャネル分の波形データ、ロジック信号の３２ビット分の波形データがメモリ５に書き込まれる。
【００４１】
さらに、バス処理部６が、新たに取得されたロジック信号のうちバス表示用の波形データをアクイジョンメモリ５から読み出す。そして、変化点検出手段６１が、読み出したロジック信号で論理レベルが変化した変化点を検出し、バス値演算手段６２、変化点表示手段７２に出力する。また、バス値演算手段６２が、読み出し波形データおよび検出手段６１の変化点に基づいて、組み合わせたロジック信号のバス値を求め、バス値表示手段７３に出力する。
【００４２】
そして、表示処理部７が、表示を行なうチャネル、ビットの波形データをメモリ５から読み出す。さらに、波形表示手段７１が、読み出した波形データから所定の形式に従って画像データを生成し、変化点表示手段７２が、表示画面上で変化点を表示する表示位置を求め、変化点やバス値の枠を示す画像データを生成し、表示メモリ８に書き込む。この際、既に書き込まれている波形および変化点に重ね書きして描画してもよい。なお、波形や変化点等は、波形データから求めた情報そのままなので、ジッタが存在する場合、各アクイジョンごとのジッタ量に依存して時間軸方向に微妙にずれた位置に表示される。
【００４３】
そして、バス値表示手段７３が、変化点と領域算出手段７４があらかじめ算出した各領域の座標位置等からバス値の表示画面上の表示位置を求める。これについて説明する。変化点表示手段７２が求めた変化点の時間軸上（Ｘ軸とする）の表示位置（表示画面上の座標位置）から＋Ｘ軸方向に所定の距離Δｔ離れたＸ軸上の座標位置を求める。そして、この座標位置に対応するバス値表示用の領域（図２において斜線の領域）を求める。さらに求めた領域の隣の領域（＋Ｘ軸方向）を文字列の先頭位置（例えば、文字列”ＡＣ”なら”Ａ”）とする。そして、先頭位置の領域から順に文字列をあてはめて表示位置を求める。そして、求めた表示位置となるようにバス値を示す画像データを生成し、表示メモリ８に格納する。
【００４４】
さらに、表示部９の表示画面の更新にあわせて、表示処理部７が、表示メモリ８から画像データを読み出し、表示部９の表示画面に波形、変化点、バス値等を表示する。
【００４５】
ここで、図２（ｃ）に示すように、ジッタによる変化点のずれ量が、同一の領域内に収まっていれば、バス値”ＡＣ”は、表示位置がずれない。一方、ジッタによる変化点のずれ量が同一の領域内に収まっていなくとも、表示される位置は領域ごとであり、文字列の文字数が分かっていれば（この場合は、２文字”０９”）、３文字のうち、重なっている真ん中の文字を除外して、先頭の”０”と最後尾の”９”とから、この文字列は”０９”であることが容易に推認できる。
【００４６】
そして、次のトリガ信号が入力されると、波形データの取得や、波形データ、バス表示の画像データの生成等を繰り返す。
【００４７】
このように、領域算出手段７４が、バス値の１キャラクタ分を表示するための領域を複数個求めて時間軸方向にあらかじめ配置する。そして、バス値表示手段７３が、変化点表示手段７２の変化点に基づいて、バス値を各領域にあてはめて表示させる。これにより、ジッタ等によりトリガ信号とロジック信号との間に時間的なずれが生じたとしても、バス値の表示位置のずれを抑えることができ、バス表示対象のロジック信号のバス値の観測性が向上する。
【００４８】
また、変化点表示手段７２が、ロジック信号の波形の表示に合わせて変化点を時間軸方向に移動させるが、一方、領域算出手段７４は、波形の移動に関わらずバス値表示用の領域の位置を固定しているのでバス値がずれない。これにより、変化点のずれによってジッタの存在を確認できつつ、バス値の値を読み取ることができる。
【００４９】
なお、本発明はこれに限定されるものではなく、以下に示すようなものでもよい。
（１）バス値表示手段７３が、一定距離Δｔに対応するバス値表示用領域の右隣の領域を文字列の先頭とする構成を示したが、文字列の先頭とするのは、一定距離Δｔに対応する領域から何個目の領域でもよく、一定距離Δｔに対応する領域でもよい。
【００５０】
（２）バス値表示手段７３が、文字列を表示する表示位置を、変化点からの一定距離Δｔと領域算出手段７４による領域とに基づいて求めたが、変化点間の中央位置と領域とから文字列の先頭となる領域を求めてもよい。例えば、図３に示すように求めてよい。変化点と次の変換点とのＸ軸上の座標位置の中点を求め、この中点に対応するバス値表示用の領域を求める。そして、求めた領域を文字列の先頭に合わせる。なお、図３では、２文字なので先頭をあわせたが、文字列が多い場合、例えば、ｍ個の場合、ｍ／２番目の文字または（ｍ−１）／２番目の文字を、中点に対応する領域に合わせる等するとよい。
【００５１】
（３）バス値表示手段７３が、変化点からの距離Δｔを固定して文字列の表示位置を求める構成を示したが、この距離Δｔにヒステリシスを持たせてもよい。これにより、文字列の表示位置の変化を少なくすることができる。
【００５２】
図４を用いて説明する。ここで、図４（ａ）、（ｂ）は、図２（ａ），（ｂ）と同様である。図４（ａ）は、ｎ回目のアクイジョンで取得した波形データから求めたバス表示であり、図４（ｂ）は、（ｎ＋１）回目のアクイジョンで取得した波形データから求めたバス表示であり、図４（ｃ）は、距離Δｔにヒステリシスを持たせ、（ｎ＋１）回目のアクイジョンで取得した波形データから求めたバス表示である。
【００５３】
図４（ａ）で文字列”０９”を表示する領域の基準位置となる変化点１００を含む領域をＡ（１）とし、以下、＋Ｘ軸方向に領域Ａ（２）〜Ａ（４）とする。図４（ａ）では、距離Δｔに対応するのは領域Ａ（３）となり、文字”０”が領域Ａ（４）に表示される。そして、図４（ｂ）では、変化点２００からの距離Δｔに対応するのは領域Ａ（２）となり、文字”０”が領域Ａ（３）に表示される。その結果、ｎ回目と（ｎ＋１）回目とで、文字列”０９”の領域が１個分ずれる。
【００５４】
このような場合、図４（ｃ）に示すように、バス値表示手段７３が、基準点２００からの距離Δｔに対する領域Ａ（２）のみでなく、距離Δｔに１領域分のヒステリシスを設けた距離Δｔ’、Δｔ’’に対する領域Ａ（１）、Ａ（３）を求めてもよい。
【００５５】
ここで、
Δｔ’  ＝Δｔ−Δｘ
Δｔ’’＝Δｔ＋Δｘ
である（Δｘ：領域算出手段７４が求めた領域Ａ（１）〜Ａ（４）の時間軸方向の幅）。
【００５６】
そして、バス値表示手段７３が、Δｔ、Δｔ’、Δｔ’’それぞれに対応する領域Ａ（１）〜Ａ（３）を求め、求めた領域Ａ（１）〜Ａ（３）の右隣の領域Ａ（２）〜Ａ（４）を求める。右隣の領域Ａ（２）〜Ａ（４）それぞれと、前回（ｎ回目のアクイジョンの波形データによるバス表示）の文字列”０”の領域Ａ（４）とを比較し、前回において表示した領域Ａ（４）と一致した位置を先頭にして、今回表示分の文字列”０９”を表示する。さらに、バス値表示手段７３が、表示した領域Ａ（４）を表示領域記憶手段（図示せず）に記憶し、次回の表示の際に表示領域記憶手段から位置情報（領域Ａ（４））を読み出して、領域の比較を行なうとよい。
【００５７】
なお、今回求めた複数の領域と、前回表示した領域とが一致しない場合は、距離Δｔに基づいて文字列”０９”を表示するとよい。
【００５８】
このように、バス値表示手段７３が、変化点２００からの距離Δｔを±１領域分変更させて文字列”０９”の表示位置を求めるので、変化点１００、２００が、ｎ回目と（ｎ＋１）回目とで領域をまたいだとしても、文字列の表示位置のずれを抑えることができる。
【００５９】
（４）解析値の一例として、複数のロジック信号からバス値を求めて表示する構成を示したが、ＤＲＡＭへのパラレルバスや、ＰＣＩバスの場合、アドレスのみならずコマンドも伝送される。従って、解析値としてコマンドの文字列を解析値として表示してもよい。例えば、これらのコマンドは、コード化して伝送されている。そこで、バス値とコマンド名との対応を示したテーブルを第２の記憶部にあらかじめ記憶させ、バス値演算手段６２が、求めたバス値を第２の記憶部のテーブルを参照してデコード化し、コマンド名をバス値の代わりに表示させてもよい。
【００６０】
（５）また、解析値の一例として、パラレルバスを解析したバス値を求めて表示する構成を示したが、シリアルバス上のデータのデータ値を解析してもよい。例えば、フレームごとのデータのデータ値をバス値として求めた表示していもよい。なお、シリアルバスは、例えば、ＳＰＩ（Serial Peripheral Interface）バス、ＣＡＮ（Controller Area Network）バス、Ｉ２Ｃ（Inter-Integrated Circuit）バス等であり、フレームの始まりの位置をバス値の基準の位置にするとよい。
【００６１】
（６）チャネル数を４チャネル、ビット数を３２ビットする構成を示したが、チャネル数、ビット数は何個でもよい。
【００６２】
（７）トリガ回路３は、１番目のチャネルのアナログ信号を入力する構成を示したが、何チャネル目のアナログ信号でもよく、複数チャネルのアナログ信号を組み合わせてもよい。また、入力端子Ｄｉｎへのロジック信号や、入力端子Ａｉｎ，Ｄｉｎに入力されていない外部信号でもよい。
【図面の簡単な説明】
【００６３】
【図１】本発明の一実施例を示した構成図である。
【図２】図１に示す装置の表示例を示した図である。
【図３】図１に示す装置のその他の表示例を示した図である。
【図４】図１に示す装置のその他の表示例を示した図である。
【図５】従来の波形測定装置における表示例を示した図である。
【図６】従来の波形測定装置におけるその他の表示例を示した図である。
【図７】従来の波形測定装置におけるその他の表示例を示した図である。
【符号の説明】
【００６４】
９  表示部
７２  変化点表示手段
７３  バス値表示手段
７４  領域算出手段
【図１】
2008185431.tif 000003
【図２】
2008185431.tif 000004
【図３】
2008185431.tif 000005
【図４】
2008185431.tif 000006
【図５】
2008185431.tif 000007
【図６】
2008185431.tif 000008
【図７】
2008185431.tif 000009